(57)【要約】【課題】操作性を改善する。【解決手段】URLのアイコンを選択すると、メインLCDに、図２５に示すようなURL入力画面が表示される。このURL入力画面には、URLによく用いられる文字列「http://」、「.co」、「.or」、「.ac」、「.go」、「.jp」、「.com」、「^」などが対応されたボタンが表示され、ユーザは、このボタンをペンで選択することで、その文字列を簡単に入力することができるようになされている。そして、「実行」のボタンアイコンを操作すると、その入力したURLに対するアクセスが実行されるようになされている。【選択図】図２５
2006238482.tif 000002
【特許請求の範囲】
【請求項１】
ネットワークを介してデータを送受するデータ通信モードを有する携帯無線通信端末であって、
前記データを表示する表示手段と、
前記データを送受するためのアクセス先を特定するアドレス情報を入力させる入力制御手段と、
前記アドレス情報の一部を構成する特定の文字列を前記表示手段に表示させる表示制御手段と
を備え、
前記入力制御手段は、前記表示手段に表示された前記特定の文字列を、前記アドレス情報の一部として入力させる
ことを特徴とする携帯無線通信端末。
【請求項２】
前記アドレス情報はURLであり、
前記特定の文字列は、「http://」、「.co」、「.or」、「.ac」、「.go」、「.jp」、「.com」のうちの少なくとも１つを含む
ことを特徴とする請求項１に記載の携帯無線通信端末。
【請求項３】
前記表示手段は、前記URLを入力するためのURL入力画面を表示し、
前記表示制御手段は、前記URL入力画面に前記特定の文字列を表示させる
ことを特徴とする請求項２に記載の携帯無線通信端末。
【請求項４】
ネットワークを介してデータを送受するデータ通信モードを有し、前記データを表示する表示手段を備える携帯無線通信端末の情報処理方法であって、
前記データを送受するためのアクセス先を特定するアドレス情報を入力させる入力制御ステップと、
前記アドレス情報の一部を構成する特定の文字列を前記表示手段に表示させる表示制御ステップと
を含み、
前記入力制御ステップの処理においては、前記表示手段に表示された前記特定の文字列が、前記アドレス情報の一部として入力される
ことを特徴とする情報処理方法。
【発明の詳細な説明】
【技術分野】
【０００１】
本発明は、携帯無線通信端末、情報処理方法に関し、特に、操作性を改善した携帯無線通信端末、情報処理方法に関する。
【背景技術】
【０００２】
最近、携帯無線通信端末が普及しつつある。この携帯無線通信端末を用いれば、出張先などにおいて、必要に応じて、画像情報を受信し、利用することが可能となる。
【０００３】
例えば、携帯無線通信端末から所定の情報提供装置にアクセスした場合、情報提供装置から、図２７に示すような画像が伝送されてくる。携帯無線通信端末においては、これを受信し、例えば図２８に示すように、その画像を表示部２５３に表示させる。携帯無線通信端末は、その携帯性を確保する意味から、それほど大きな形状のものとすることができない。そこで、表示部２５３の形状も、限られた大きさのものとなる。その結果、表示部２５３には、図２７に示した画面のうちの一部の画像情報だけが表示されることになる。携帯無線通信端末においては、この表示部２５３に表示された画像を左右方向にスクロールすることができるように、表示部２５３の下方にバー２５１が設けられ、このバー２５１上のスライダ２５２を、バー２５１に沿って左右方向（水平方向）にスライドさせることにより、表示部２５３に表示する画像を、左右方向（水平方向）にスクロールすることができる。
【０００４】
同様に、上下方向（垂直方向）のバー２５４上において、スライダ２５５を移動させることにより、表示部２５３に表示されている画像を、上下方向（垂直方向）にスクロールすることができる。
【０００５】
このようにして、ユーザは、水平方向と垂直方向にスクロールすることで、全体の画像を認識するようになされている。
【発明の開示】
【発明が解決しようとする課題】
【０００６】
しかしながら、従来の携帯無線通信端末においては、このように表示部２５３の一部にバー２５１，２５４を設け、表示部２５３に表示されている画像をスクロールするようにしているため、これらのバー２５１，２５４の分だけ、表示部２５３に表示できる画像の範囲が狭くなる課題があった。
【０００７】
さらにまた、水平方向と垂直方向の２つの方向にスクロールさせる必要があるため、全体の画像を読み取るための操作性が悪い課題があった。
【０００８】
本発明は操作性を改善するものである。
【課題を解決するための手段】
【０００９】
請求項１に記載の携帯無線通信端末は、ネットワークを介してデータを送受するデータ通信モードを有する携帯無線通信端末であって、データを表示する表示手段と、データを送受するためのアクセス先を特定するアドレス情報を入力させる入力制御手段と、アドレス情報の一部を構成する特定の文字列を表示手段に表示させる表示制御手段とを備え、入力制御手段は、表示手段に表示された特定の文字列を、アドレス情報の一部として入力させることを特徴とする。
【００１０】
アドレス情報はURLであり、特定の文字列は、「http://」、「.co」、「.or」、「.ac」、「.go」、「.jp」、「.com」のうちの少なくとも１つを含むようにすることができる。
【００１１】
表示手段は、URLを入力するためのURL入力画面を表示し、表示制御手段は、URL入力画面に特定の文字列を表示させるようにすることができる。
【００１２】
請求項４に記載の情報処理方法は、ネットワークを介してデータを送受するデータ通信モードを有し、データを表示する表示手段を備える携帯無線通信端末の情報処理方法であって、データを送受するためのアクセス先を特定するアドレス情報を入力させる入力制御ステップと、アドレス情報の一部を構成する特定の文字列を表示手段に表示させる表示制御ステップとを含み、入力制御ステップの処理においては、表示手段に表示された特定の文字列が、アドレス情報の一部として入力されることを特徴とする。
【００１３】
請求項１に記載の携帯無線通信端末、請求項４に記載の情報処理方法においては、表示手段に表示された特定の文字列が、アドレス情報の一部として入力される。
【発明の効果】
【００１４】
本発明によれば、操作性を改善することが可能となる。
【発明を実施するための最良の形態】
【００１５】
以下、この発明を適用した携帯無線通信端末の実施の形態を、図を参照しながら説明する。
【００１６】
この実施の形態の携帯無線通信端末は、PHS(Personal Handy-phone System)と呼ばれる携帯電話端末としての機能と、ファクシミリ通信や電子メール通信などのデータ通信を行うことができるPDA(Personal Digital Assistance)としての機能とを備えた複合機である。
【００１７】
そして、この携帯無線通信端末は、PDAとして機能し、ファクシミリ通信や電子メール通信を行う場合には、契約関係にある１個の共通サーバ装置に対して、ネットワークを通じて接続され、携帯無線通信端末から希望する相手方への情報送信および自分宛ての情報の受信は、携帯無線通信端末と前記共通サーバ装置とが協働することにより行われる。
【００１８】
図１は、この発明の携帯無線通信端末が用いられて形成される通信ネットワークシステムの概念構成を説明するための図である。この図１において、携帯無線通信端末１−１乃至１−３と共通サーバ装置２との間には契約関係がある。複数個の携帯無線通信端末１−１乃至１−３（以下、これらを特に区別する必要がないとき、単に、携帯無線通信端末１と称する。他の装置においても同様である）と、共通サーバ装置２は、携帯無線通信端末用のネットワーク３、並びに、このネットワーク３に対して、１個以上のアクセスポイント４−１乃至４−３を介して接続される専用基幹ネットワーク５を介して接続される。
【００１９】
携帯無線通信端末用ネットワーク３には、共通サーバ装置２と契約関係にない他の携帯無線通信端末も接続されるが、後述するような共通サーバ装置２の協働処理のサービスを受けることができる携帯無線通信端末は、予め、この共通サーバ装置２と契約関係が結ばれた携帯無線通信端末１のみである。共通サーバ装置２との契約関係がない携帯無線通信端末との混同を避けるため、以下の説明においては、共通サーバ装置２と契約関係にある携帯無線通信端末を会員端末と呼ぶことにする。
【００２０】
複数個の会員端末１−１乃至１−３および他の同種の携帯無線通信端末のそれぞれは、例えば電波の届く範囲を考慮した所定のエリア単位に設けられる無線基地局６−１乃至６−３に対して無線接続される。無線基地局６同志の間の接続など、携帯無線通信端末用のネットワーク３では、例えば、光ケーブルが用いられる。
【００２１】
専用基幹ネットワーク５に対しては、このネットワーク５を管理するネットワーク管理サーバ装置７が接続されている。このネットワーク管理サーバ装置７は、共通サーバ装置２と会員端末１との間の、いわゆるルーティングを管理する。従って、ネットワーク管理サーバ装置７でのルーティング管理上から見たときには、共通サーバ装置２は、専用基幹ネットワーク５に接続される端末装置の１つとして位置づけられる。なお、この例の場合、このネットワーク管理サーバ装置７は、インターネット８に対しても接続される。
【００２２】
ネットワーク管理サーバ装置７は、共通サーバ装置２に対して直接的にも接続され、会員端末１から共通サーバ装置２へのアクセス履歴などを、ネットワーク管理サーバ装置７から共通サーバ装置２に送るように構成されている。すなわち、会員端末１の課金ログ（履歴）収集などの会員総合管理は、共通サーバ装置２が行うように構成されている。
【００２３】
つまり、会員端末１は、共通サーバ装置２と契約関係にあるのであって、ネットワーク管理サーバ装置７と契約関係にあるのではない。そして、共通サーバ装置２は、会員端末１のネットワーク接続上の管理をネットワーク管理サーバ装置７に委託しており、共通サーバ装置２とネットワーク管理サーバ装置７との間にも契約関係がある。従って、共通サーバ装置２は、他の専用基幹ネットワークおよびそのネットワーク管理サーバ装置とも、前述の専用基幹ネットワーク５およびそのネットワーク管理サーバ装置７と全く同様の関係を持って接続されることが可能である。
【００２４】
共通サーバ装置２から見たときは、個々の会員端末１に対しては、特定の専用基幹ネットワーク５を割り当てて、各会員端末１からの共通サーバ装置２へのアクセスは、必ず、その会員端末用に割り当てた専用基幹ネットワーク５を通るように管理するのであるが、会員端末１から見た場合には、共通サーバ装置２とネットワーク管理サーバ装置７との間の契約関係は全く無関係であるので、会員端末１は、単に共通サーバ装置２だけにアクセスして、共通サーバ装置２だけにより管理されていることになる。
【００２５】
このようなネットワーク管理構成によれば、例えば、共通サーバ装置２に個々のネットワーク管理サーバ装置７が備えるサービス機能をすべて持たせるようにすることにより、会員端末１のユーザは、各ネットワーク管理サーバ装置７が備える種々のサービスを受けるために、個々のネットワーク管理サーバ装置７に対して契約するのではなく、共通サーバ装置２と契約関係を生じさせるだけで、この共通サーバ装置２が持つ種々のサービスを受けられるようになり、非常に便利である。
【００２６】
そして、共通サーバ装置２は、公衆回線網９に接続され、会員端末１が、この公衆回線網９に接続されるファクシミリ端末やパーソナルコンピュータなどの通信端末１０との間で通信データの送受を行うことができるようにするための機能を備えている。
【００２７】
さらに、共通サーバ装置２は、会員端末１に対して、情報提供サービスを行うために、提供情報のデータベースの一部となる記憶部を備える。また、共通サーバ装置２は、コンテンツ提供装置１１と接続されており、このコンテンツ提供装置１１から、会員への提供情報のデータベースとなる情報を取得して、会員端末１に提供するようにする。
【００２８】
コンテンツ提供装置１１は、それぞれ固有の提供情報を有する提供者が備えるもので、共通サーバ装置２を有するサービス会社との契約により、共通サーバ装置２を通じて会員端末１に、その情報を提供するものである。図１では、コンテンツ提供装置１１は、１個だけ示したが、複数個のコンテンツ提供装置１１が共通サーバ装置２に接続される場合も勿論ある。
【００２９】
また、共通サーバ装置２とコンテンツ提供装置１１とは、専用線を通じて接続される場合と、インターネット８などのネットワークを通じて接続される場合とがある。
【００３０】
これら専用線やネットワークを通じて共通サーバ装置２に接続されるコンテンツ提供装置１１からの情報は、共通サーバ装置２が、会員端末１から、その情報提供要求があったときに、前記コンテンツ提供装置１１にアクセスして取得し、要求してきた会員端末１に提供する。
【００３１】
コンテンツ提供装置１１からの情報を、随時、取得して、共通サーバ装置２の内蔵メモリ部に格納して、その内蔵メモリ部の記憶内容を最新にしておくようにしてもよい。
【００３２】
共通サーバ装置２が、１個以上のコンテンツ提供装置１１に接続されていて、これらのコンテンツ提供装置１１からの情報を集中的に集めて、会員端末１に提供するようにすると、会員端末１では、それぞれのコンテンツ提供装置１１と個別に契約する必要がなく、また、個々のコンテンツ提供装置１１からの情報の形式などに関係なく、共通サーバ装置２から必要な情報を受け取ることができる。
【００３３】
なお、固有の提供情報を有する提供者のコンテンツを共通サーバ装置２へ提供する場合、上述のように専用線やネットワークを介するのではなく、CD-ROMなどの記録媒体を介するようにして、共通サーバ装置２の記憶部に記憶させておくようにしてもよい。
【００３４】
携帯無線通信端末１のユーザと、共通サーバ装置２の所有者との契約が行われると、前述したように、携帯無線通信端末１は会員端末１となる。例えば、会員端末１をユーザが購入することをもって、共通サーバ装置２に対する契約関係の発生とするようにすることができる。
【００３５】
すなわち、携帯無線通信端末を会員端末１としてユーザが購入するとき、その会員端末１には、前述したように、各端末ごとの特定の専用基幹ネットワーク５を通じた共通サーバ装置２のアドレス情報が予め与えられ、不揮発性メモリに格納される。また、この不揮発性メモリには、当該会員端末１が共通サーバ装置２と契約関係がある会員端末であることを示す識別情報も格納されている。ただし、この共通サーバ装置２のアドレスなどの会員端末１への書き込み（登録）は、会員端末１の購入時に、端末販売員や購入者が行ってもよいが、予め、会員端末１に登録しておくとよい。その場合には、アドレスなどを入力する操作が全く不要となるので、ユーザには共通サーバ装置２を意識させずに、会員端末１を利用させるようにすることができる。
【００３６】
そして、会員端末１は、ファクシミリ通信や電子メール通信の処理を開始するとき、それに先立ち、前記の予め記憶されているアドレス情報および共通サーバ装置２と契約関係がある会員端末であることを示す識別情報を用いて、自動的に共通サーバ装置２に接続する処理を実行する。
【００３７】
会員端末１は、携帯性に優れ、また、その通信機能およびその関連機能を、共通サーバ装置２と協働することにより実現する。
【００３８】
すなわち、会員端末１は、大容量のメモリを有しない。その代わりに、共通サーバ装置２が、各会員端末１用のメモリあるいはメモリエリアを備える。また、会員端末１は、必要最小限の処理のためのアプリケーション（マイクロコンピュータのソフトウエア）を除き、種々の機能を実現するためのアプリケーションを、共通サーバ装置２に委ねるようにしている。すなわち、会員端末１において、ユーザが、目的とする機能を得るための要求に相当する、例えばキー操作を行うと、その要求が共通サーバ装置２に送られ、共通サーバ装置２で当該機能のアプリケーションが実行される。そして、そのアプリケーションでの処理結果が、会員端末１に送られてくる。
【００３９】
図２は、共通サーバ装置２の一実施の形態の構成を示すブロック図である。図２に示すように、共通サーバ装置２は、マスターサーバ２１、メールサーバ２２、ファクシミリサーバ２３、着信通知サーバ２４、HTTP(Hyper Text Transfer Protocol)Dサーバ２５、コンテンツサーバ２６、コンテンツ用プロクシ(Proxy)サーバ２７、およびファイヤウォール２８が、LAN(Local Area Network)により接続されて構成されている。
【００４０】
マスターサーバ２１は、会員データの管理、コンテンツオプション等の申し込みや解約処理、ネットワーク全体の管理メンテナンスを行う。マスターサーバ２１は、会員データ（ユーザ情報）などを記憶するメモリ２１Ｍを備える。
【００４１】
メールサーバ２２は、主としてメールサービスの管理・運用を行うものであり、POP(Post Office Protocol)サーバ機能を実装しており、会員端末１とのインタフェース処理を行う。そして、メールサーバ２２は、会員端末用のメールボックスと呼ばれるメモリ２２Ｍを備える。メールボックス２２Ｍは、各会員端末１のそれぞれ毎に区分けされたメモリエリアを備え、各会員端末１宛ての電子メールの受信データを、各会員端末１毎に蓄える。
【００４２】
なお、ある会員端末１から他の会員端末１宛てに送信された、イメージデータ（画像データ）を含まないテキストデータ形式のファクシミリデータも、このメールボックス２２Ｍの前記他の会員端末用のメモリエリアに、電子メールデータとして蓄えられる。
【００４３】
ファクシミリサーバ２３は、ファクシミリ通信機能のアプリケーションを実行する。会員端末１とのインタフェース用にメールサーバ機能を実装し、また、Ｇ３ファクシミリ用のPSTN(Public Switched Telephone Network)（公衆交換電話網）通信回線機能も実装し、ISDN(Integrated Services Digital Network)網９に接続されている。また、ファクシミリデータとしての画像データを記憶するファクシミリボックス（以下FAXボックスという）と呼ばれるメモリ２３Ｍを備える。FAXボックス２３Ｍも、各会員端末毎に区分けされたメモリエリアを備え、各会員端末宛ての、イメージデータを含むファクシミリ受信データを各会員端末毎に蓄える。
【００４４】
着信通知サーバ２４は、電子メールやファクシミリが会員端末１宛てであった場合に、ISDN回線（ISDN網９）を通じて、その会員端末１に通知するためのものである。
【００４５】
HTTPDサーバ２５は、会員端末１とのインタフェースを制御する。会員端末１が、この共通サーバ装置２に接続されている場合のすべての処理は、このサーバ２５を経由して各機能サーバに分配される。
【００４６】
コンテンツサーバ２６は、共通サーバ装置２が提供するコンテンツ情報処理用のサーバである。このサーバ２６は、提供するコンテンツ情報用として、２つのメモリ２６Ａ，２６Ｂを備える。その１つのメモリ２６Ａは、予めこのサーバ２６内に提供する情報を保持するためのものである。もう１つのメモリ２６Ｂは、この共通サーバ装置２内には、提供する情報を保持せず、利用時に、インターネット経由でコンテンツ提供装置１１から取得したデータを一時的に格納するためのものである。
【００４７】
コンテンツ用プロクシサーバ２７は、コンテンツデータを、インターネット８を経由して、外部から取得するために使用される。ファイヤウォール２８は、ハッカーなどの不法侵入を防ぐ防御プログラムであり、プロクシサーバ２７は、このファイヤウォール２８を介することによって、外部からの不正なアクセスを防御しながら、内部から外部に自由にアクセスできる環境を作っている。
【００４８】
以上のように、共通サーバ装置２は、ファクシミリ通信を実行するアプリケーションを備えるほか、会員端末１が要求する機能を実行するためのアプリケーションを備えるものである。
【００４９】
次に、会員端末１について説明する。図３乃至図１１は、会員端末１の外観の構成例を示している。上述したように、この会員端末１は、PHS電話機能、ファクシミリ通信および電子メール通信機能、並びに情報提供サービスを受けるデータ通信機能を備える複合端末の構成を有するものである。
【００５０】
この会員端末１は、図３乃至図１１に示すように、端末本体１００に対して開閉自在なカバーパネル１０１を備え、このカバーパネル１０１を閉じた状態（図３乃至図９）では、PHS電話端末として動作する電話モードになり、カバーパネル１０１を開いた状態（図１０と図１１）では、ファクシミリ通信機能、電子メール通信機能、または情報提供サービス受信機能を得ることができるデータ通信モードになる。このモード切り換えのために、カバーパネル１０１の開閉を検知するスイッチＳＷ（図１３）が設けられている。
【００５１】
カバーパネル１０１の表側には、電話用（ダイヤル用）のテンキー１０２と、サブLCD(Liquid Crystal Display)１０５Ｓとが設けられている。また、カバーパネル１０１のテンキー１０２の近傍には、発呼動作を開始するとき、または、電話を保留するとき操作されるボタン３０１と、通話を終了するとき操作されるボタン３０２が配置されている。さらに、カバーパネル１０１には、LCD窓１０４と、スピーカ１００ＳＰが配置されている。
【００５２】
会員端末１は、ボタン３０６を操作して、本体１００に対するロックを解除して、カバーパネル１０１を開けた状態のときに露出する本体１００側の面（本体１００のカバーパネル１０１の裏面と対向する面）に、大型のメインLCD１０５Ｍを備え、このメインLCD１０５Ｍの表示面に、通信文、機能一覧メニュー、受信ファクシミリリスト、受信電子メールリストなどを表示することができる。
【００５３】
カバーパネル１０１を閉じた状態では、例えば透明プラスチック板などからなるLCD窓１０４を介してメインLCD１０５Ｍの表示面が臨めるようになされている。例えば、会員端末１から電話を掛ける発呼時には、メインLCD１０５ＭのLCD表示窓１０４から臨める部分だけに、入力した相手先の電話番号などの表示が行われる。
【００５４】
すなわち、この会員端末１は、カバーパネル１０１が閉じられているときには、電話モードとされる。そして、待ち受け状態にあるときには、図１２（Ａ）に示すように、メインLCD１０５Ｍは消灯状態となり、何も表示されない。この時、サブLCD１０５Ｓには、図１２（Ａ）に示すように、会員端末１の状態などを通知するためのマーク２０１乃至２０７のうちの所定のものを表示することができるようになされている。
【００５５】
また、会員端末１が電話モードとされた後、例えば、この会員端末１から電話を掛ける発呼時には、図１２（Ｂ）に示すように、電話用のテンキー１０２を操作して入力した相手先の電話番号が、メインLCD１０５ＭのLCD表示窓１０４から臨める部分だけに表示される。もちろん、着信時において、この会員端末１に対して電話を掛けてきた発呼元の電話番号をメインLCD１０５ＭのLCD表示窓１０４から臨める部分だけに表示するようにすることもできる。また、この場合にも、サブLCD１０５Ｓには、会員端末１の状態などを通知するためのマーク２０１乃至２０７のうちの所定のものが表示される。
【００５６】
なお、図１２（Ａ）と（Ｂ）に示したサブLCD１０５Ｓに表示されるマーク２０１乃至２０７は、以下のような内容を通知するものである。すなわち、マーク２０１は、無線基地局からの電波の電界強度を示すものであり、マーク２０２は、会員端末１が電話モードになっていることを示すものである。マーク２０３は、会員端末１が電話モードになっているが、無線基地局からの電波が届かないところにいることを示すものであり、マーク２０４は、バッテリの残量を示すものである。また、マーク２０５は、この会員端末１に対するファクシミリ情報の着信があったことを通知するものであり、マーク２０６は、この会員端末１に対する電子メールの着信があったことを通知するものである。マーク２０７は、この会員端末１がバイブレーション・着信モードになっていることを示すものである。
【００５７】
また、このようなサブLCD１０５Ｓに表示されるマークは、カバーパネル１０１を開けた状態のときには、メインLCD１０５Ｍに表示される。この場合、サブLCD１０５Ｓは、カバーパネル１０１が開かれることにより、ユーザにとっては見にくくなるため、サブLCD１０５Ｓは消灯状態となるように制御されて、何も表示されない。
【００５８】
なお、このようにカバーパネル１０１を開いたとき、メインLCD１０５Ｍに表示される会員端末１の状態を示すマークは、カバーパネル１０１を閉じた状態のときにサブLCD１０５Ｓがある位置に一致するメインLCD１０５Ｍ上の位置に表示される。あるいはまた、メインLCD１０５Ｍの左上端部や右下端部などの特定の位置に、会員端末１の状態を示すマークを表示するようにしてもよい。
【００５９】
このように、この会員端末１は、電話モードとされている場合であって、待ち受け状態にあるときには、メインLCD１０５Ｍを消灯状態にすることによって、無駄に電力を消費することがないようになされている。
【００６０】
この会員端末１においては、メインLCD１０５Ｍの表面には透明のタッチパネル１０６が貼付されており、カバーパネル１０１の裏側に、図１０および図１１に示すように、取り外し自在に取り付けられているペン１０７によるタッチ操作や、手書き文字入力を受け付ける機能を備えるようにしている。
【００６１】
本体１００の左側面のほぼ中央には、電源をオンまたはオフするとき操作される電源スイッチ３０３が配置され、その上方と下方には、テンキー１０２などからの入力を禁止するとき操作されるホールドボタン３０４と、イヤホンマイクを接続するための接続口３０５がそれぞれ設けられている。カバー３０７は、カバーパネル１０１を本体１００に対して開閉動作させるとき、本体１００とカバーパネル１０１との間に接続されているフレキシブルプリント基板が露出するのを防止している。本体１００の上端面には、PHS用のアンテナ１０３が設けられている。
【００６２】
本体１００の下方であって、カバーパネル１０１に被われていない部分には、回動キーと押しボタンキーとの２つの機能を併せ持つジョグダイヤルキー１０９とマイクロホン１００ＭＣが設けられている。ジョグダイヤルキー１０９は、回動キーとして、図１１において左右方向に（メインLCD１０５Ｍの短い辺と平行な方向に）回動操作したとき、例えばメニューなどにおける項目選択動作を行ったり、受信している画像情報をスクロールすることができる。また、ジョグダイヤルキー１０９を押しボタンキーとして押圧操作したときには、選択された項目が決定されたものとされる。あるいはまた、電話モードにおいて、予め登録されている電話番号リストを表示させるときにも、ジョグダイヤルキー１０９が押圧操作される。
【００６３】
カバーパネル１０１の裏側には、複数個のキー１０８が配置されている。このうちのキー１０８Ａは、ブラウザモードを設定するとき操作され、キー１０８Ｂは、ファクシミリモードを設定するとき操作され、キー１０８Ｃは、メールモードを設定するとき操作される。また、キー１０８Ｄは、所定の機能を設定するとき操作される。キー１０８Ｅは、メモモードを設定するとき操作され、キー１０８Ｆは、電話帳モードを設定するとき操作される。キー１０８Ｇは、共通サーバ装置２に対して接続するとき操作され、キー１０８Ｈは、いままで受信していないメールを一括して受信するとき操作される。
【００６４】
図１３は、会員端末１の内部の構成例を示している。この会員端末１は、大きく分けて、通信機能部１１０と、制御部１２０とから構成されている。
【００６５】
通信機能部１１０は、アンテナ１０３、ＲＦ処理部１１２、送受信データ処理部１１３、マイクロホンアンプ１１４、スピーカアンプ１１５、マイクロホン１００ＭＣ、およびスピーカ１００ＳＰから構成されている。
【００６６】
制御部１２０は、マイクロコンピュータにより構成されており、CPUよりなるシステムコントロール部１２１、ROM１２２、DRAM１２３、および書き換え可能な不揮発性メモリとしてのフラッシュメモリ１２４を備えている。
【００６７】
システムコントロール部１２１には、カバーパネル１０１の開閉に応じてオン・オフするスイッチＳＷが接続されており、システムコントロール部１２１は、このスイッチＳＷのオン・オフにより、カバーパネル１０１が閉状態か、開状態かを検知し、カバーパネル１０１が閉状態のときには、電話モードを設定し、会員端末１をPHS電話用端末として機能させる。また、カバーパネル１０１が開状態のときには、キー１０８の操作に対応して会員端末１をファクシミリ通信やメール通信用端末として機能させる。
【００６８】
システムコントロール部１２１にはまた、テンキー１０２のキースイッチ群や、カバーパネル１０１の裏側に設けられたキー１０８のスイッチ群の状態を示す情報が入力されるようになされており、システムコントロール部１２１は、ユーザによりキー操作がなされたとき、それがテンキー１０２やキー１０８のいずれであるかを検知し、その検知したキーに応じた処理を実行する。
【００６９】
また、システムコントロール部１２１は、LCDドライバ１２５を制御し、ROM１２２のプログラムおよび表示データを用いて、メインLCD１０５Ｍに所定の表示画像を表示させる。システムコントロール部１２１はまた、LCDドライバ１２８を制御し、会員端末１の状態などを示すマークをサブLCD１０５Ｓに表示させる。
【００７０】
また、システムコントロール部１２１には、ユーザへの、電話の着信通知や、ファクシミリおよびメールの着信通知などのためのブザー１２７やLED（発光ダイオード）１２６が接続されている。
【００７１】
ROM１２２には、共通サーバ装置２との接続のためのシーケンスを制御するプログラムや、PHS電話通信のための制御プログラム、ファクシミリ送信のための制御プログラム、メール送信のための制御プログラム、ファクシミリデータやメールデータを受信するための制御プログラムなどの会員端末１での通信のために最低限必要な通信アプリケーションプログラムと、メインLCD１０５Ｍ、サブLCD１０５Ｓを表示制御するプログラムやメニュー表示などの表示データなどが記憶されている。
【００７２】
DRAM１２３は、共通サーバ装置２から取得した受信データを一時的に蓄え、また、ワークエリアとして使用するメモリの領域を備えている。
【００７３】
フラッシュメモリ１２４には、共通サーバ装置２に対して会員端末１から自動接続するためのネットワーク上のアドレス情報が予め格納されている。また、このフラッシュメモリ１２４には、会員端末１が共通サーバ装置２と契約関係のある端末であって、ファクシミリ通信サービスや電子メールサービス、また、情報提供サービスを共通サーバ装置２から受けることができる端末であることを示すとともに、各会員端末を識別するための識別情報（会員情報）も記憶されている。なお、会員情報は、共通サーバ装置２のマスターサーバ２１にも記憶され、管理されている。さらに、また、このフラッシュメモリ１２４には、DRAM１２３に一時的に蓄えた受信データのうちの、カバーパネル１０１を開放した状態におけるラストモードなど、特に保存しておきたいデータを格納する領域を備えている。
【００７４】
次に、図１４のフローチャートを参照して、会員端末１の動作について説明する。最初にステップＳ１において、システムコントロール部１２１は、スイッチＳＷの出力をモニタし、カバーパネル１０１が開放されたか否かを判定する。カバーパネル１０１が開放されていると判定された場合には、ステップＳ２に進み、システムコントロール部１２１は、フラッシュメモリ１２４に記憶されているラストモード（前回、カバーパネル１０１を閉じる直前に設定していたモード）を設定する。次にステップＳ３に進み、システムコントロール部１２１は、カバーパネル１０１の裏側に配置されているキー１０８が操作されたか否かを判定する。キー１０８が操作されていない場合には、ステップＳ１に戻り、それ以降の処理が繰り返し実行される。ステップＳ３において、キー１０８のうち、所定のキーが操作されたと判定された場合には、ステップＳ４に進み、その操作されたキー１０８に対応するモードが設定され、その処理が実行される。
【００７５】
例えば、キー１０８のうち、電話帳モードを設定するキー１０８Ｆが操作された場合、システムコントロール部１２１は、電話帳モードを設定し、図１５のフローチャートに示す処理を実行する。最初にステップＳ３１において、フラッシュメモリ１２４に登録済みの電話番号と、その電話番号の所有者の氏名のリスト（電話帳）を読み出し、これをLCDドライバ１２５に供給し、メインLCD１０５Ｍに表示させる。次に、ステップＳ３２において、メインLCD１０５Ｍに表示された登録ボタンアイコン（図示せず）がペン１０７でオンされたか否かをシステムコントロール部１２１は判定する。登録ボタンアイコンがオンされていない場合には、ステップＳ３３に進み、システムコントロール部１２１は、ジョグダイヤルキー１０９が回動されたか否かを判定する。ジョグダイヤルキー１０９が回動された場合には、ステップＳ３４に進み、システムコントロール部１２１は、フラッシュメモリ１２４からジョグダイヤルキー１０９の操作方向に対応する新たな電話番号と氏名を読み出し、メインLCDドライバ１２５を介して、メインLCD１０５Ｍに出力し、表示させる。すなわち、システムコントロール部１２１は、ステップＳ３４において、メインLCD１０５Ｍに表示されている電話番号と氏名のリストをスクロールさせる。ユーザは、このようにして、メインLCD１０５Ｍに登録済みの電話番号と氏名を表示させ、確認することができる。
【００７６】
ステップＳ３３において、ジョグダイヤルキー１０９が回動されていないと判定された場合には、ステップＳ３５に進み、ジョグダイヤルキー１０９が押圧されたか否かが判定される。ジョグダイヤルキー１０９が押圧されていない場合には、ステップＳ３６に進み、カバーパネル１０１が閉じられたか否かが判定される。カバーパネル１０１が閉じられていない場合には、ステップＳ３１に戻り、それ以降の処理が繰り返し実行される。カバーパネル１０１が閉じられたと判定された場合には、電話帳モードは終了される。
【００７７】
電話番号と氏名のリストがメインLCD１０５Ｍに表示されている状態において、ユーザがジョグダイヤルキー１０９を押圧すると、ステップＳ３５からステップＳ４１に進み、システムコントロール部１２１は、そのときカーソルで指定されている電話番号と氏名に関して登録されている情報をフラッシュメモリ１２４から読み出し、メインLCD１０５Ｍに表示させる。その後、ステップＳ３１に戻る。
【００７８】
一方、新たな電話番号を電話帳に登録する場合、ユーザは、メインLCD１０５Ｍに表示されている新規ボタンアイコンをオンする。このとき、システムコントロール部１２１は、ステップＳ３２からステップＳ３７に進み、メインLCD１０５Ｍに登録画面を表示させる。ユーザは、この登録画面を見て、ステップＳ３８において、登録画面の所定の位置に電話番号と氏名を入力する。この入力は、テンキー１０２を操作することで行われる。なお、このテンキー１０２には、数字の他、図４に示すように、平仮名文字とアルファベット文字が割り当てられており、その所定のものを操作することで、文字を入力することが可能とされている。
【００７９】
氏名と電話番号の入力が完了したとき、ユーザは、メインLCD１０５Ｍに表示されている登録ボタンアイコンを操作する。このとき、システムコントロール部１２１は、ステップＳ３９において、ステップＳ３８で入力された氏名と電話番号をフラッシュメモリ１２４の電話帳に追加登録する。ユーザは、電話帳への登録を終了させる場合、メインLCD１０５Ｍに表示されている登録終了ボタンアイコンを操作する。この登録終了ボタンアイコンが操作されない場合には、ステップＳ３７に戻り、それ以降の処理が繰り返し実行される。
【００８０】
ステップＳ４０において、登録終了ボタンアイコンが操作されたと判定された場合には、ステップＳ３６に進み、カバーパネル１０１が閉じられたか否かが判定され、閉じられていなければ、ステップＳ３１に戻り、閉じられている場合には、電話帳モードが終了される。
【００８１】
以上のようにして、図１４のステップＳ１において、カバーパネル１０１が開放されていると判定された場合には、キー１０８の操作に対応するモードが設定され、その処理が実行される。
【００８２】
図１４のステップＳ１において、カバーパネル１０１が開放されていない（閉じられている）と判定された場合には、ステップＳ５に進み、システムコントロール部１２１は、電話モードを設定する。そして、ステップＳ６において、着信があったか否かを判定し、着信がない場合には、ステップＳ７に進み、ユーザが発呼動作を開始するか否かを判定する。発呼動作が開始されない場合には、ステップＳ８に進み、カバーパネル１０１が開放されたか否かが判定され、開放されていなければ、ステップＳ６に戻り、それ以降の処理が繰り返し実行される。カバーパネル１０１が開放されたと判定された場合には、ステップＳ８からステップＳ２に進み、それ以降の処理が実行される。
【００８３】
発呼動作は、カバーパネル１０１を閉じた状態だけでなく、開けた状態でも実行可能である。そこでステップＳ９で、カバーパネル１０１が開放されたか否かが判定され、開放されたと判定された場合、ステップＳ２に進む。ユーザは、カバーパネル１０１を閉じた状態で発呼動作を開始するとき、ジョグダイヤルキー１０９を押圧操作して、メインLCD１０５Ｍに電話番号リストを表示させるか、または、テンキー１０２を操作して、電話番号の入力を行う。そこで、ユーザは、電話番号リストを表示させるか否かを判定し、表示させる場合には、ジョグダイヤルキー１０９を押圧操作する。ステップＳ１０でジョグダイヤルキー１０９が押圧されたと判定された場合、ステップＳ１１に進み、システムコントロール部１２１は、フラッシュメモリ１２４に登録されている電話番号と氏名を読み出し、メインLCD１０５Ｍに表示させる。このとき、図１６に示すように、LCD窓１０４から確認できる位置に、氏名と番号のリストが表示される。
【００８４】
次に、ステップＳ１２において、ジョグダイヤルキー１０９が回動されたか否かが判定される。ジョグダイヤルキー１０９が回動された場合には、ステップＳ１３に進み、システムコントロール部１２１は、その回動方向に対応する方向にリストをスクロールする。すなわち、図１６において、ジョグダイヤルキー１０９を図中上方向（文字の配列方向を水平な方向とした場合の上方向）に回動した場合には、リストが上方向にスクロールされ、下方向に回動した場合には、下方向にスクロールされる。
【００８５】
メインLCD１０５ＭのLCD窓１０４に対応する領域には、図１６に示すように、横方向に全角文字で１４文字を表示することができるようになされている。実際には、図１６に示すように、氏名をあいうえお順にソートして表示する場合のソート位置を示す全角の平仮名１文字が表示され、その次に名前が全角で６文字表示される。そして、最後に電話番号の数字が半角でハイフォンを含めて１３文字表示される。
【００８６】
氏名と電話番号は、図１６に示すように、１行に収めるように表示される。例えば、名前が６文字以上である場合には、７文字目以降の文字は表示が省略される。そして、電話番号は完全に表示される。
【００８７】
名前と電話番号の合計の文字数が多く、１行に収めることができない場合には、２行に渡って表示することもできる。しかしながら、そのようにすると、１行の情報と２行の情報が混在し、スクロールしたとき、その一部のみがLCD窓１０４から視認できるような中途半端な状態になるなどして、所望の電話番号と氏名を探し出すのが困難となる。
【００８８】
また、名前を完全に表示し、電話番号の表示を一部省略することも考えられるが、そのようにすると、ユーザは、電話番号が誤っているものと誤認するおそれがある。これに対して、氏名の一部が表示されていないとしても、ユーザは、６文字の範囲で、その氏名が誰のものであるかを判別することが可能であり、氏名の一部が欠落していたとしても、発呼動作に支障がないことを、通常、ユーザは認識しているので、発呼動作をためらうようなことはない。
【００８９】
そこで、この実施の形態のように、氏名と電話番号を１行に収めて表示することにより、必要に応じてスクロールして、所望の電話番号と氏名を確実に認識することができるようにするとともに、氏名が６文字を超える場合には、氏名の一部の表示を省略するようにするのが好ましい。
【００９０】
ステップＳ１２において、ジョグダイヤルキー１０９が回動されていないと判定された場合には、ステップＳ１４に進み、発呼動作を開始するボタン３０１が操作されたか否かが判定される。ボタン３０１が操作されていないと判定された場合には、ステップＳ１１に戻り、それ以降の処理が繰り返し実行される。ステップＳ１４において、ボタン３０１がオンされたと判定された場合には、システムコントロール部１２１は、ステップＳ１５に進み、発呼動作を開始させる。そして、相手側がこの発呼動作に応じた場合には、ステップＳ１６において、発呼先との間で通話が行われる。
【００９１】
すなわち、このとき、システムコントロール部１２１は、送受信データ処理部１１３を制御し、指定された相手先の発呼信号を出力させる。この発呼信号は、ＲＦ処理部１１２から、アンテナ１０３を介して、無線で送信され、最寄りの無線基地局６から、ネットワーク３を介して、指定された相手先に送信される。
【００９２】
相手先との通話は、マイクロホン１００ＭＣとスピーカ１００ＳＰを用いて行われる。
【００９３】
一方、ユーザは、電話番号リストを表示させる必要がないと判定した場合には、ジョグダイヤルキー１０９を押圧操作せず、ステップＳ１８に進み、テンキー１０２を操作して、電話番号を直接入力する。そして、ステップＳ１９に進み、発呼開始ボタン３０１がオンされるまで待機し、オンされたときステップＳ１５に進み、上述した場合と同様にして、発呼動作を行う。
【００９４】
また、ステップＳ６において、着信があったと判定した場合には、ステップＳ１７に進み、ユーザは、この着信に対して応答するとき、ボタン３０１をオンする。そして、ステップＳ１６において、通話を行う。
【００９５】
通話を終了する場合、ユーザは、ボタン３０２をオンする。ボタン３０２がオンされたとき、通話は終了され、ステップＳ１に戻る。
【００９６】
図１７は、図１４のステップＳ３において、ブラウザモードを設定するためのキー１０８Ａが操作され、さらにサーバに対する接続を指令するキー１０８Ｇが操作された場合に実行される処理を表している。
【００９７】
この場合、最初にステップＳ５１において、システムコントロール部１２１は共通サーバ装置２に対してアクセスし、ステップＳ５２において、そのホームページのデータを受信する。システムコントロール部１２１は、ＲＦ処理部１１２、送受信データ処理部１１３を介して、このホームページの画像情報を受信したとき、これをLCDドライバ１２５を介して、メインLCD１０５Ｍに表示させる。このようにして、メインLCD１０５Ｍには、例えば図１８に示すような共通サーバ装置２のホームページの画像が表示される。
【００９８】
図１８に示すように、このホームページの画像には、サーチ、新聞／天気、スポーツ、レジャーといったアイコンの他、ブックマーク、ホームページ、URLといった各種の機能を選択するためのアイコンが表示されている。そこで、ステップＳ５３において、システムコントロール部１２１は、いずれかのアイコンが選択されるまで待機し、いずれかのアイコンが選択された場合には、ステップＳ５４に進み、その選択されたアイコンに対応する処理を実行する。その後、ステップＳ５５に進み、終了が指令されたか否かを判定し、終了が指令されていない場合には、ステップＳ５３に戻り、それ以降の処理が繰り返し実行される。終了が指令された場合には、ブラウザモードは終了される。
【００９９】
例えば、図１８に示すアイコンのうち、「ブックマーク」のアイコンが選択された場合の処理が、図１９のフローチャートに示されている。この場合、最初にステップＳ６１において、システムコントロール部１２１は、ブックマークとして予め登録されてるホームページリストをフラッシュメモリ１２４から読み出し、メインLCD１０５Ｍに表示させる。ユーザは、ステップＳ６２で、この表示の中からアクセスするホームページをペン１０７で選択する。このとき、システムコントロール部１２１は、ステップＳ６３において、ステップＳ６２で選択されたホームページに対するアクセスを共通サーバ装置２に要求する。共通サーバ装置２は、この要求に対応して、図２０のフローチャートに示す処理を実行する。
【０１００】
すなわち、最初にステップＳ７１において、共通サーバ装置２のHTTPDサーバ２５は、コンテンツ用プロクシサーバ２７に対して、指定されたホームページに対するアクセスを要求する。コンテンツ用プロクシサーバ２７は、この要求に対応して、ファイヤウォール２８、インターネット８を介して、指定されたホームページに対するアクセスを行う。コンテンツ用プロクシサーバ２７は、ステップＳ７１でホームページの画像情報を受信したとき、これをファクシミリサーバ２３に転送する。
【０１０１】
ファクシミリサーバ２３は、ステップＳ７２において、受信した情報を会員端末１のメインLCD１０５Ｍの横方向（図１１のメインLCD１０５Ｍの長手方向）の長さに対応するように、画面の横方向の長さを調整する。そして、ステップＳ７３において、このように横方向の長さが調整された画像情報が、HTTPDサーバ２５から、ステップＳ７３において、会員端末１に転送される。
【０１０２】
このようにして、共通サーバ装置２から転送された画像情報を、会員端末１は、ステップＳ６４で受信する。そして、ステップＳ６５において、受信したホームページをメインLCD１０５Ｍに表示させる。このようにして、メインLCD１０５Ｍには、図２１に示すような画像が表示される。図２１の画像は、図２７に示す画像を、その水平方向（文字を配列する方向）の長さが、メインLCD１０５Ｍ（文字を配列する方向）の水平方向の長さに対応するように、その長さを変更した例を表している。すなわち、図２７と図２１を比較して明らかなように、例えば、図２７においては、「携帯電話があれば遭難も怖くない」の文字が１行に表示されているのに対して、図２１の表示例においては、この文字列を１行に表示すると、メインLCD１０５Ｍの表示範囲を超えてしまうため、この文字列が「携帯電話があれば遭難も」の文字列と「怖くない」の文字列に２行に分けて表示されている。以下、「最近、電話一本で気軽に助けを求める登山者が増加している。・・・」の記事の文章も、メインLCD１０５Ｍの水平方向の端部からはみ出さないように表示されている。また、この表示例においては、画像も圧縮されて表示されている。
【０１０３】
次に、ステップＳ６６において、システムコントロール部１２１は、ジョグダイヤルキー１０９が回動されたか否かを判定する。ジョグダイヤルキー１０９が回動されたと判定された場合には、ステップＳ６７に進み、システムコントロール部１２１は、スクロール処理を実行する。すなわち、例えばジョグダイヤルキー１０９を図１１においてカバーパネル１０１の方向に回動した場合には、メインLCD１０５Ｍの画像は、図２１に示す状態から図２２に示す状態に変化する。すなわち、上方向に画像がスクロールされる。また、逆に、ジョグダイヤルキー１０９を図１１においてカバーパネル１０１と反対の方向に回動させた場合には、下方向にスクロールが行われることになる。
【０１０４】
ジョグダイヤルキー１０９とメインLCD１０５Ｍは、本体１００の６面のうち、いずれも上面に（同一面に）形成されている。従って、例えば紙などを上下に移動させる感覚でスクロールを行うことができる。
【０１０５】
また、このように、表示される画像の水平方向の端部がメインLCD１０５Ｍの水平方向の端部と対応するように、その長さが調整されているので、水平方向にスクロールする必要がないので、操作性が改善される。
【０１０６】
ステップＳ６６において、ジョグダイヤルキー１０９が回動されていないと判定された場合には、ステップＳ６８に進み、ジョグダイヤルキー１０９が押圧されたか否かが判定される。ジョグダイヤルキー１０９が押圧された場合には、ステップＳ６９に進み、対応する処理が実行される。
【０１０７】
例えば、カーソルを所定のURLがリンクされている文字の上に移動した後、ジョグダイヤルキー１０９が押圧されると、システムコントロール部１２１は、そのURLに対するアクセスを、共通サーバ装置２に要求する。共通サーバ装置２が、この要求に対応して、そのURLにアクセスし、アクセスして得た情報を会員端末１に伝送する。従って、メインLCD１０５Ｍには、その情報が表示される。
【０１０８】
ステップＳ６８において、ジョグダイヤルキー１０９が押圧されていないと判定された場合には、ステップＳ７０に進み、その他のキーがオンされているか否かが判定される。その他のキーがオンされている場合には、ステップＳ７１に進み、その操作されたキーに対応する処理が実行される。ステップＳ７２において、その他のキーがオンされていないと判定された場合には、ステップＳ６５に戻り、それ以降の処理が繰り返し実行される。
【０１０９】
なお、図２１と図２２に示した例においては、ジョグダイヤルキー１０９の操作に対応して、画像情報を、その操作された方向にスクロールするようにしたが、例えば、図２３に示すように、所定の位置にカーソルが表示されている状態において、ジョグダイヤルキー１０９が操作された場合には、その操作された方向に対応して、カーソルを図中右方向または左方向に１文字ずつ移動させるようにしてもよい。図２４は、図２３における状態から、カーソルが１文字だけ右方向に移動された状態を示している。
【０１１０】
ジョグダイヤルキー１０９を連続して操作すれば、このカーソルが１文字ずつ右方向に移動し、右端部に達したときは左端部に戻り、そこから再び右方向に移動する動作が繰り返される。そして、カーソルが右下端部に移動した状態において、さらにカーソルを移動させる操作を継続すると、画像情報が上方向にスクロールされることになる。ジョグダイヤルキー１０９を逆方向に回動すると、カーソルは、逆方向に移動する。従って、この場合には、画像情報を下方向にスクロールすることが可能となる。
【０１１１】
このように、カーソルを１文字ずつ移動させると、画像情報全体をスクロールするのに時間がかかる。そこで、ジョグダイヤルキー１０９の回動量または回動速度を検出し、その検出結果に対応して、画像情報をスクロールするようにしてもよい。
【０１１２】
図１７のステップＳ５３において、URLのアイコンを選択すると、システムコントロール部１２１は、メインLCD１０５Ｍに、図２５に示すようなURL入力画面を表示させる。このURL入力画面には、URLによく用いられる文字列「http://」、「.co」、「.or」、「.ac」、「.go」、「.jp」、「.com」、「^」などが対応されたボタンが表示され、ユーザは、このボタンをペン１０７で選択することで、その文字列を簡単に入力することができるようになされている。そして、「実行」のボタンアイコンを操作すると、その入力したURLに対するアクセスが実行されるようになされている。
【０１１３】
上記例においては、共通サーバ装置２により、画像情報の画面を会員端末１のメインLCD１０５Ｍの長さに対応させるようにしたが、このような処理を会員端末１側において実行させるようにすることもできる。この場合の処理例が図２６のフローチャートに示されている。すなわち、この場合においては、最初にステップＳ８１において、共通サーバ装置２は、会員端末１の指定するコンテンツ提供装置にアクセスし、情報を受信する。そして、ステップＳ８２において、その情報を会員端末１に転送する。会員端末１においては、ステップＳ８３において、受信した情報を、メインLCD１０５Ｍの横方向の長さに対応するように変更し、表示させる。
【０１１４】
上記実施の形態においては、会員端末１を携帯無線通信端末としたが、有線で共通サーバ装置２に対して接続する携帯通信端末においても、本発明を適用することが可能である。
【０１１５】
なお、上記したような処理を行うプログラムをユーザに伝送する伝送媒体としては、磁気ディスク、CD-ROM、固体メモリなどの記録媒体の他、ネットワーク、衛星などの通信媒体を利用することができる。
【図面の簡単な説明】
【０１１６】
【図１】本発明を適用した通信ネットワークシステムの構成例を示す図である。
【図２】図１の共通サーバ装置の構成例を示すブロック図である。
【図３】図１の携帯無線通信端末１の外観構成を示す図である。
【図４】図１の携帯無線通信端末１の外観構成を示す図である。
【図５】図１の携帯無線通信端末１の外観構成を示す図である。
【図６】図１の携帯無線通信端末１の外観構成を示す図である。
【図７】図１の携帯無線通信端末１の外観構成を示す図である。
【図８】図１の携帯無線通信端末１の外観構成を示す図である。
【図９】図１の携帯無線通信端末１の外観構成を示す図である。
【図１０】図１の携帯無線通信端末１の外観構成を示す図である。
【図１１】図１の携帯無線通信端末１の外観構成を示す図である。
【図１２】図３のLCD窓１０４とサブLCD１０５Ｓの表示例を示す図である。
【図１３】図１の携帯無線通信端末１の内部の構成例を示すブロック図である。
【図１４】図１３の携帯無線通信端末１の動作を説明するフローチャートである。
【図１５】図１３の携帯無線通信端末１の電話帳モードにおける動作を説明するフローチャートである。
【図１６】図１４のステップＳ１１における表示例を示す図である。
【図１７】図１３の携帯無線通信端末１のブラウザモードにおける動作を説明するフローチャートである。
【図１８】図１７のステップＳ５２におけるホームページの表示例を示す図である。
【図１９】図１８のブックマークボタンアイコンを操作した場合の処理を説明するフローチャートである。
【図２０】図２の共通サーバ装置２の動作を説明するフローチャートである。
【図２１】図３の携帯無線通信端末１における表示例を示す図である。
【図２２】図３の携帯無線通信端末１における表示例を示す図である。
【図２３】図３の携帯無線通信端末１における表示例を示す図である。
【図２４】図３の携帯無線通信端末１における表示例を示す図である。
【図２５】図３の携帯無線通信端末１のURL入力画面の表示例を示す図である。
【図２６】図２の共通サーバ装置２と図３の携帯無線通信端末１の動作を説明するフローチャートである。
【図２７】画像情報伝送装置が伝送する画像情報の例を示す図である。
【図２８】従来の携帯無線通信端末の表示例を示す図である。
【符号の説明】
【０１１７】
１  携帯無線通信端末，  ２  共通サーバ装置，  ２１  マスターサーバ，  ２２  メールサーバ，  ２３  ファクシミリサーバ，  ２４  着信通知サーバ，  ２５  HTTPDサーバ，  ２６  コンテンツサーバ，  ２７  コンテンツ用プロクシサーバ，  １００  本体，  １０１  カバーパネル，  １０２  テンキー，  １０４  LCD窓，  １０５Ｓ  サブLCD，  １０９  ジョグダイヤルキー
【図１】
2006238482.tif 000003
【図２】
2006238482.tif 000004
【図３】
2006238482.tif 000005
【図４】
2006238482.tif 000006
【図５】
2006238482.tif 000007
【図６】
2006238482.tif 000008
【図７】
2006238482.tif 000009
【図８】
2006238482.tif 000010
【図９】
2006238482.tif 000011
【図１０】
2006238482.tif 000012
【図１１】
2006238482.tif 000013
【図１２】
2006238482.tif 000014
【図１３】
2006238482.tif 000015
【図１４】
2006238482.tif 000016
【図１５】
2006238482.tif 000017
【図１６】
2006238482.tif 000018
【図１７】
2006238482.tif 000019
【図１８】
2006238482.tif 000020
【図１９】
2006238482.tif 000021
【図２０】
2006238482.tif 000022
【図２１】
2006238482.tif 000023
【図２２】
2006238482.tif 000024
【図２３】
2006238482.tif 000025
【図２４】
2006238482.tif 000026
【図２５】
2006238482.tif 000027
【図２６】
2006238482.tif 000028
【図２７】
2006238482.tif 000029
【図２８】
2006238482.tif 000030